(57)【特許請求の範囲】
【請求項１】
プラスチックフィルムを重ね合わせ熱溶着して内部に気体を収納する空気室に気体を充満させて収納する気体収納方法において、
ヒートシール性を有する３枚のプラスチックフィルムで、
中にある可撓性を有するプラスチックフィルムにスリットを切り込み、３枚を同時に熱溶着して空気室を形成し、
前記空気室にスリットから気体を充満させ、かつ、充満させた気体による圧力で、中にあるプラスチックフィルムを外側の２枚のいずれかのプラスチックフィルムに密着させて、充満させた気体を外部に漏洩させない
ことを特徴とする気体収納方法。
【請求項２】
請求項１に記載の気体収納方法において、
前記中にある可撓性を有するプラスチックフィルムと外側の２枚のいずれかのプラスチックフィルムとで、気体を導入する導入路を形成している
ことを特徴とする気体収納方法。
【請求項３】
請求項２に記載の気体収納方法において、
前記気体を導入する導入路に剥離剤を塗布している
ことを特徴とする気体収納方法。
【請求項４】
プラスチックフィルムを重ね合わせ熱溶着して内部に気体を収納する空気室に気体を充満させて収納する気体収納方法において、
ヒートシール性を有する４枚のプラスチックフィルムで、
中にある２枚の可撓性を有するプラスチックフィルムにスリットを切り込み、４枚を同時に熱溶着して空気室を形成し、
前記空気室にスリットから気体を充満させ、かつ、充満させた気体による圧力で、中にある２枚のプラスチックフィルムを外側の２枚のいずれかのプラスチックフィルムに密着させて、充満させた気体を外部に漏洩させない
ことを特徴とする気体収納方法。
【請求項５】
請求項４に記載の気体収納方法において、
前記中にある２枚の可撓性を有するプラスチックフィルムで、気体を導入する導入路を形成している
ことを特徴とする気体収納方法。
【請求項６】
請求項５に記載の気体収納方法において、
前記気体を導入する導入路に剥離剤を塗布している
ことを特徴とする気体収納方法。
【発明の詳細な説明】
【技術分野】
【０００１】
本発明は、空気等の気体を封入する気体収納方法に関する。
【背景技術】
【０００２】
一般に、日用品、家庭電化製品を始めとする様々な工業製品は、段ボール箱等の箱状物質を使って梱包し、輸送、保管する事が行われている。この際、箱内部の梱包物に衝撃を与えないように、例えば、エア・キャップを備えるプラスチック・シートで、角や縁も含む品物全体を保護するように何層にも巻きつけて梱包することが行われている。
しかし、このようなエア・キャップを備えるプラスチック・シートは、一度の使用により廃棄されることが多く、ゴミ処理問題等の環境保護の観点から好ましくないとの声が高い。また、梱包に使用する前に運送、倉庫へ堆積するにも、プラスチック・シート全体に対するエア・キャップの体積が大きいために、運送費・倉庫費が高くなり、非常に不経済である。したがって、体積的に場所をとらず、それであって、衝撃を与えないような梱包部材が求められている。
【０００３】
例えば、特許文献１では、シートと、前記シート上に、中空であり、気体を内包した形状の異なる複数種の突起を具備する梱包材が開示されている。これによって、保護部材と緩衝部材の性質を兼ね備えた梱包材を提供することができることが記載されている。しかし、緩衝部材として活用できるものであっても、上述の問題点に関しては何ら記載されていない。
また、特許文献２では、第一フィルム層及び第二フィルム層から形成される供給路、第一フィルム層及び第二フィルム層から形成され、供給路の末端に逆止弁を介して接続され、第二フィルム層に細孔を有する複数の注入室及び細孔を有する第二フィルム層及び第三フィルム層により形成される複数の空気室からなる緩衝包装材が開示されている。また、特許文献３では、矩形状を呈する２枚の樹脂フィルムを重ね合わせ、逆止弁構造を有するエアー吹き込み部材を取り付けたエアバック式の包装用緩衝材であって、該包装用緩衝材の外周縁部は熱シールによって熱シール部を形成し、前記２枚の樹脂フィルムのうち少なくとも一方の所定の位置に接着剤を印刷して空気の流通と被包装物に当接して緩衝機能を付与する空気室とを形成するための区画用のシール部は接着シール部で形成したこと包装用緩衝材が開示されている。
【発明の概要】
【発明が解決しようとする課題】
【０００４】
しかし、いずれも、逆止弁をそれぞれの空気室に設けるのは、逆止弁を多数必要になり、そのために逆止弁を配設することで連続的な生産が難しく、製造上の生産性を高めることは困難であるという問題点がある。また、フィルム等と比較すると非常に小さい逆止弁を配設しなければならず、構造が複雑な緩衝包装材等になるという問題点がある。
そこで、本発明は上記問題点に鑑みてなされたものであり、その課題は、製造が簡易連続的に可能であり、かつ空気等の気体を収納する気体収納方法を提供することである。
【課題を解決するための手段】
【０００５】
上記課題を解決する手段である本発明の特徴を以下に挙げる。
すなわち、本発明の気体収納方法は、プラスチックフィルムを重ね合わせ熱溶着して内部に気体を収納する空気室に気体を充満させて収納する気体収納方法において、ヒートシール性を有する３枚のプラスチックフィルムで、中にある可撓性を有するプラスチックフィルムにスリットを切り込み、３枚を同時に熱溶着して空気室を形成し、前記空気室にスリットから気体を充満させ、かつ、充満させた気体による圧力で、中にあるプラスチックフィルムを外側の２枚のいずれかのプラスチックフィルムに密着させて、充満させた気体を外部に漏洩させないことを特徴とする。
また、本発明の気体収納方法は、さらに、前記中にある可撓性を有するプラスチックフィルムと外側の２枚のいずれかのプラスチックフィルムとで、気体を導入する導入路を形成していることを特徴とする。
また、本発明の気体収納方法は、さらに、前記気体を導入する導入路に剥離剤を塗布していることを特徴とする。
【０００６】
本発明の気体収納方法は、プラスチックフィルムを重ね合わせ熱溶着して内部に気体を収納する空気室に気体を充満させて収納する気体収納方法において、ヒートシール性を有する４枚のプラスチックフィルムで、中にある２枚の可撓性を有するプラスチックフィルムにスリットを切り込み、４枚を同時に熱溶着して空気室を形成し、前記空気室にスリットから気体を充満させ、かつ、充満させた気体による圧力で、中にある２枚のプラスチックフィルムを外側の２枚のいずれかのプラスチックフィルムに密着させて、充満させた気体を外部に漏洩させないことを特徴とする。
また、本発明の気体収納方法は、さらに、前記中にある２枚の可撓性を有するプラスチックフィルムで、気体を導入する導入路を形成していることを特徴とする。
また、本発明の気体収納方法は、さらに、前記気体を導入する導入路に剥離剤を塗布していることを特徴とする。
【発明の効果】
【０００７】
以上説明したように、本発明の気体収納方法では、空気等の気体を封入する気体収納方法を提供することができる。
【図面の簡単な説明】
【０００８】
【図１】本発明の梱包部材の構成を示す概略図である。
【図２】空気室の構成を示す概略図で、（ａ）では、１つの空気室の概略構成を示す平面図と断面図であり、（ｂ）では、空気室に空気が充満したときの断面図である。
【図３】他の実施形態である空気室の構成を示す概略図で、（ａ）では、１つの空気室の概略構成を示す断面図であり、（ｂ）では、空気室に空気が充満したときの断面図である。
【図４】本発明の梱包部材の製造方法を示す概略図である。
【図５】熱溶着する部分を示す概略図である。
【発明を実施するための形態】
【０００９】
以下に、本発明を実施するための最良の形態を図面に基づいて説明する。なお、いわゆる当業者は特許請求の範囲内における本発明を変更・修正をして他の実施形態をなすことは容易であり、これらの変更・修正はこの特許請求の範囲に含まれるものであり、以下の説明はこの発明における最良の形態の例であって、この特許請求の範囲を限定するものではない。
図１は、本発明の梱包部材の構成を示す概略図である。
本発明の梱包部材１０は、小さな空気室２０を多数設けるものである。プラスチックフィルム上にエア・キャップを設けるエア・キャップ式の梱包材と同様に、これによって、被梱包材を巻いて包むことで、衝撃を吸収して緩衝させている。しかも、エア・キャップ式の梱包材では、最初から空気を入れて封入するために、運搬・貯蔵しにくい。しかし、本発明の梱包部材１０は、使用時に空気を注入して、空気室２０を膨らませるので運搬・貯蔵が容易である。
【００１０】
図１に示すように、本発明の梱包部材１０は、空気を注入して、内部に送り込むための入口に当たる注入口１１と、注入された空気を通す第１の連絡路１２と、この第１の連絡路１２から支流に当たる第２の連絡路１４を有し、この第２の連絡路１４が空気室２０に連絡している。注入口１１から注入された空気によって空気室２０を膨らませる。
このときに、第１の連絡路１２から第１の連絡口１３を通して第２の連絡路１４に空気を注入する。図１に示すように、第２の連絡路１４は、各空気室２０に連絡しており、第２の連絡口２２を通して空気を注入する。
また、図２は、空気室２０の構成を示す概略図で、図２（ａ）は、１つの空気室の概略構成を示す平面図とＢ−Ｂ‘切断線で切断した断面図であり、図２（ｂ）は、空気室２０に空気が充満したときの断面図である。
図１及び２に示すように、空気室２０は、空気を導く導入路２３と、空気収納部２１に空気を吹き込む吹込口２４とから構成される。この導入路２３は、ジグザグ状の細路構造にすることが好ましい。この導入路２３は、ある程度の長さを獲得するために細くすることがよい。導入路２３を細くすることで、空気収納部２１に空気を充満させるための時間を調整することができる。
第１の連絡路１２に近い空気室２０から空気が充満して空気室２０が大きくなって第２の連絡路１４を狭くしていくために、この導入路２３が短いと第１の連絡路１２から遠くにある空気室２０に空気が注入されるのが遅くなることがある。
また、この吹込口２４は、フィルム上にスリットとして切り込みを入れたものである。これによって、導入路２３から空気収納部２１に空気が注入される。この吹込口２４は、コの字状に切り込んでもよい。コの字状にすることで、空気を注入する面積を大きくとることができるので、空気の注入速度を速くすることができる。また、空気収納部２１を可撓性のあるプラスチックフィルムで構成することにより、空気収納部２１に空気が充満した後は、変形しやすくなっていることで、他のフィルム面に押圧されやすいことから、空気の漏洩を少なくすることができる。
【００１１】
さらに、詳細に説明すると、図２に示すように、基盤となる第１のプラスチックフィルム３１と第２のプラスチックフィルム３２とを配置し、その間に第３のプラスチックフィルム３３を配置する。図２（ａ）に示すように、空気が注入口１１から吹込口２４を経て空気収納部２１に充満されてゆく。空気の注入は、一方のフィルムに設けた注入口１１からストローを差し込んで行なう。図２中の黒い矢印は空気の流れを、白い矢印は押圧力を示している。
このときに、第３のプラスチックフィルム３３は、図２（ｂ）に示すように、矢印方向に圧力を受けて押し上げられる。第３のプラスチックフィルム３３が押し上げられて第１のプラスチックフィルム３１に密着することで、吹込口２４、さらに、導入路２３が狭まってくる。その結果、自制式に空気の注入は抑えられて一定の量の空気が充満したところで停止する。空気が充填した後は、可撓性の高いプラスチックフィルムによる吹込口２４は導入路２３を形成する他の第１のプラスチックフィルム３１に押圧されて内部から塞がっており、空気収納部２１の空気は漏れていくことがない。
【００１２】
従来、たとえばプラスチックフィルムを熱溶着して袋を形成し、その内部に空気を封入してなる空気緩衝材では、空気の封入に逆止弁を使用していた。つまり、熱溶着可能なプラスチックフィルムの中央部を貫いて溶着を防止するための剥離剤等を印刷・塗布したものを２枚重ね、両側縁を熱溶着したプラスチックフィルムに挟み込んで、逆止弁は使用されていることが多い。しかし、このような逆止弁は、印刷および熱溶着という異質の工程を含んでいて面倒である。特に、熱溶着する前に逆止弁を、プラスチックフィルム上に配設しなければならず、生産性が低いためにコスト高になって実用的でない。
また、逆止性能からいっても、この弁は内外の圧力差で２枚のフィルムが押されて空気の流路を閉ざしているだけであるから、機械的な歪が加わったりすると開いて、空気が漏れたりすることがあって、あまり信頼性の高いものではない。しかし、本発明の梱包部材１０は、逆止弁を用いることなく、吹込口２４を可撓性の高いプラスチックフィルムに設けることで、充満した空気の圧力によって吹込口２４が導入路２３を形成する他の第１のプラスチックフィルム３１に押圧されて空気の漏れを防止することができる。
また、生産性だけではなく、各空気室に逆止弁を装着するとすれば多数の逆止弁が必要になりコストがかかり実用的ではない。本発明の梱包部材１０は、逆止弁を用いることなく、単に可撓性のプラスチックフィルムを用いることでこれを達成することができる。
【００１３】
図３は、他の実施形態である空気室２０の構成を示す概略図で、図３（ａ）は、１つの空気室の概略構成を示す断面図であり、図３（ｂ）は、空気室に空気が充満したときの断面図である。ここで、梱包部材１０は、図２においては第１のプラスチックフィルム３１と第２のプラスチックフィルム３２との間に１枚のフィルム３３を配置したが、２枚以上を配置してもよい。図３に示すように、本発明の梱包部材１０では、２枚のフィルム３３、３４で導入路２３、吹込口２４を構成している。空気を空気収納部２１に充満させると、空気収納部２１の圧力が高まって、空気室２０が膨張し、その内圧で導入路２３、吹込口２４を塞いでしまう。図３に示すように、導入路２３等が空気収納部２１に留まるか、第１のプラスチックフィルム３１等に押圧されて密着することもあるが、いずれにおいても内部の圧力で、空気が充填した後は、吹込口２４は内部から塞がっており、空気収納部２１の空気は漏れていくことがない。
【００１４】
また、本発明の梱包部材１０の製造方法について説明する。
図４及び図５は、本発明の梱包部材１０の製造方法を示す概略図である。第１のプラスチックフィルム３１の下に第３のプラスチックフィルム３３を重ね、その下に第２のプラスチックフィルム３２を重ねている。図４に示すように、第１のプラスチックフィルム３１と第２のプラスチックフィルム３２とは加工を施す必要がない、フィルムである。プラスチックフィルム３１と３２との間に挿入される第３のプラスチックフィルム３３は、剥離剤等の加工がされている。
また、図５は、熱溶着する部分を示す概略図である。図４、図５（ａ）に示すように、初めに、多数の薄刃で切り込んで吹込口２４を設け、かつ、熱溶着するのを防止して連絡口１３、２２とするために剥離剤を印刷・塗布した第３のプラスチックフィルム３３を第１のプラスチックフィルム３１に重ねて、熱溶着して導入路２３、連絡口１３、２２を形成する。さらに、図５（ｂ）に示すように、第２のプラスチックフィルム３２と上記の熱溶着した第１，第３のプラスチックフィルム３１，３３を重ねて３枚同時に熱溶着する。これによって、単独で個々に独立した空気室２０を備えることができ、一つの空気室２０に穴を開けても個々が独立していることで他の空気室２０から空気が漏れることはない。
さらに、図５（ｂ）中では、図１にも示しているが、縦に太い実線で示した仕切部１５に熱溶着を行うことで、空気室２０の列ごとに独立したものとすることができる。これによって、この梱包部材１０を、図１に示すＡ−Ａ‘の切断線に沿って縦に切断しても、空気を充満させた空気室２０から空気が漏れることがない。したがって、本発明の梱包部材１０は、連続的に生産しても、いずれの箇所を縦に切断して自由に設定してから、空気を注入して、衝撃等を吸収できる梱包用部材として使用する。
【００１５】
また、本発明の梱包部材１０の製造方法では、図５（ａ）、（ｂ）に示す導入路２３、空気室２０の列を複数有する熱溶着の金型によって、各プラスチックフィルム３１，３２，３３を連測的に熱溶着して連続生産が可能である。例えば、金型で第１、第３のプラスチックフィルム３１，３３を連測的に熱溶着して、第２のプラスチックフィルム３２上に搬送して重ね合わせ、更に熱溶着して連続的に生産する。これによって、逆止弁を配設することもなく容易に梱包部材１０を生産できる。
また、図２に示すように、第１のプラスチックフィルム３１と第３のプラスチックフィルム３３との間で形成される注入口１１は、最も上にあるフィルムの幅を広くして第１のプラスチックフィルム３１と第３のプラスチックフィルム３３との間に空間を形成して空気を注入しやすくなり、ストローなどの空気を注入することを容易にする。
また、ここでは、プラスチックフィルムが３枚における梱包部材１０の製造方法を示したが、プラスチックフィルムが４枚における製造方法も同様である。先に吹込口２４となる部分を、第３、第４のプラスチックフィルム３３，３４を用いて多数の薄刃で予め形成し、その上に剥離剤を印刷・塗布して、次ぎに、第１、第２のプラスチックフィルム３１，３２の間に挟み、上述した３枚のプラスチックフィルムによる梱包部材１０の製造方法と同様に行う。
【００１６】
前記梱包部材１０を構成するプラスチックフィルム３１、３２、３３、３４は、ポリエチレンやポリプロピレンなどヒートシール性を有するフィルムと、ポリアミドやフッ素樹脂、シリコン等のフィルムとをラミネートしたものである。プラスチックフィルムの片面に、ヒートシール性のある材質が現れるようにしたのは、梱包部材１０本体を製袋するために、内側の表面同士を熱溶着する必要があるからである。また、本発明の梱包部材１０を構成するプラスチックフィルムは、ポリアミドやフッ素樹脂、シリコン等のフィルムを挟んで、その両表面に、ポリエチレンやポリプロピレンなどヒートシール性を有するフィルムをラミネートする構成としてもよい。
【符号の説明】
【００１７】
１０  梱包部材
１１  注入口
１２  第１の連絡路
１３  第１の連絡口
１４  第２の連絡路
１５  仕切部
２０  空気室
２１  空気収納部
２２  第２の連絡口
２３  導入路
２４  吹込口
３０  プラスチックフィルム
３１  第１のプラスチックフィルム
３２  第２のプラスチックフィルム
３３  第３のプラスチックフィルム
３４  第４のプラスチックフィルム
【先行技術文献】
【特許文献】
【００１８】
【特許文献１】特開２０００−１２８２４６
【特許文献２】特開２００２−１０４５２０
【特許文献３】特開２００４−１８２３３２
【図１】
0004334612.tif 000002
【図２】
0004334612.tif 000003
【図３】
0004334612.tif 000004
【図４】
0004334612.tif 000005
【図５】
0004334612.tif 000006